(57)【要約】【課題】注文内容の入力欄の売買注文データを注文銘柄の株価チャート上の操作により修正することができる売買注文入力装置を提供する。【解決手段】売買注文入力装置は、入力された売買注文データを注文内容記憶部に記憶し、入力された売買注文データと注文銘柄の株価チャートをディスプレイ１６の注文入力画面に表示する。株価チャート上には売買注文データの注文単価を示す水平線１２２であってマウスのドラッグ操作によって縦方向に移動可能な水平線１２２が表示される。売買注文入力装置は、株価チャート上の水平線１２２が移動した場合に、注文内容記憶部１００の売買注文データの注文単価を、移動した水平線１２２が示す株価に更新する。【選択図】図６
2009043053.tif 000002
【特許請求の範囲】
【請求項１】
有価証券の売買注文の内容を示す売買注文情報であって当該売買注文の注文銘柄を示す銘柄識別情報、売買区分、注文数量及び注文単価を含む売買注文情報を入力するための入力欄を含む注文入力画面を表示部に表示し、前記注文入力画面に入力された前記売買注文情報を、前記売買注文情報が示す前記有価証券の売買注文を前記有価証券の取引市場システムに発注するための処理を行う売買注文処理装置に対して送信する売買注文入力装置において、
操作者が入力操作を行う入力部から前記注文入力画面の注文銘柄の入力欄に入力された銘柄識別情報を記憶する第１の記憶手段、前記注文入力画面の売買区分の入力欄に入力された売買区分を記憶する第２の記憶手段、前記注文入力画面の注文数量の入力欄に入力された注文数量を記憶する第３の記憶手段、及び、前記注文入力画面の注文単価の入力欄に入力された注文単価を記憶する第４の記憶手段を有する注文内容記憶部と、
前記第１の記憶手段に記憶された銘柄識別情報を前記注文入力画面の注文銘柄の入力欄に表示させ、前記第２の記憶手段に記憶された売買区分を前記注文入力画面の売買区分の入力欄に表示させ、前記第３の記憶手段に記憶された注文数量を前記注文入力画面の注文数量の入力欄に表示させ、前記第４の記憶手段に記憶された注文単価を前記注文入力画面の注文単価の入力欄に表示させ、有価証券の銘柄を示す銘柄識別情報に対応つけて当該銘柄の株価チャートを表示するための株価チャートデータを記憶する記憶装置で前記第１の記憶手段に記憶された銘柄識別情報に対応付けて記憶された株価チャートデータが示す株価チャートをさらに前記注文入力画面に表示させ、前記第４の記憶手段に記憶された注文単価を示す水平線であって前記入力部の操作により縦方向に移動可能な水平線を前記注文入力画面の前記株価チャート上に表示させる表示処理を行う情報処理部と
を具備し、
前記情報処理部は、前記水平線を移動させる前記入力部の操作入力に基づいて前記水平線を縦方向に移動させ、移動した前記水平線の表示位置に対応する前記株価チャートの縦軸上の株価を検出し、前記第４の記憶手段の前記注文単価を当該検出した株価に更新する更新処理を行い、前記売買注文情報を送信すべき旨の送信指示情報が前記入力部から入力された場合に、当該送信指示情報に基づき、前記注文内容記憶部に記憶された前記売買注文情報を前記売買注文処理装置に送信する送信処理を行う
ことを特徴とする売買注文入力装置。
【請求項２】
有価証券の売買注文の内容を示す売買注文情報であって当該売買注文の注文銘柄を示す銘柄識別情報及び注文単価を含む売買注文情報を、前記売買注文情報が示す前記有価証券の売買注文を前記有価証券の取引市場システムに発注するための処理を行う売買注文処理装置に対して送信する売買注文入力装置において、
前記売買注文の内容を示す売買注文情報を記憶する注文内容記憶部であって前記売買注文の注文単価を記憶する注文単価記憶手段を有する注文内容記憶部と、
前記売買注文の注文銘柄の株価チャートと、前記売買注文の注文銘柄を示す銘柄識別情報と、前記売買注文の注文単価の入力欄とを注文画面に表示するための注文画面データを記憶する記憶装置に記憶された前記注文画面データが示す前記注文画面を表示させ、前記注文単価記憶手段に記憶された注文単価を前記注文画面の前記注文単価の入力欄に表示させ、前記注文単価記憶手段に記憶された注文単価を示す水平線であって入力部の操作により縦方向に移動可能な水平線を前記注文画面の前記株価チャート上に表示させる表示処理を行う情報処理部と
を具備し、
前記情報処理部は、前記水平線を移動させる前記入力部の操作入力に基づいて前記水平線を縦方向に移動させ、移動した前記水平線の表示位置に対応する前記株価チャートの縦軸上の株価を検出し、前記注文単価記憶手段の前記注文単価を当該検出した株価に更新する更新処理を行い、前記売買注文情報を送信すべき旨の送信指示情報が前記入力部から入力された場合に、当該送信指示情報に基づき、前記注文内容記憶部に記憶された前記売買注文情報を前記売買注文処理装置に送信する送信処理を行う
ことを特徴とする売買注文入力装置。
【請求項３】
有価証券の売買注文の内容を示す売買注文情報であって当該売買注文の注文銘柄を示す銘柄識別情報、売買区分、注文数量、注文単価及び注文有効期限を含む売買注文情報を入力するための入力欄を含む注文入力画面を表示部に表示し、前記注文入力画面に入力された前記売買注文情報を、前記売買注文情報が示す前記有価証券の売買注文を前記有価証券の取引市場システムに発注するための処理を行う売買注文処理装置に対して送信する売買注文入力装置において、
操作者が入力操作を行う入力部から前記注文入力画面の注文銘柄の入力欄に入力された銘柄識別情報を記憶する第１の記憶手段、前記注文入力画面の売買区分の入力欄に入力された売買区分を記憶する第２の記憶手段、前記注文入力画面の注文数量の入力欄に入力された注文数量を記憶する第３の記憶手段、前記注文入力画面の注文単価の入力欄に入力された注文単価を記憶する第４の記憶手段、及び、前記注文入力画面の注文有効期限の入力欄に入力された注文有効期限を記憶する第５の記憶手段を有する注文内容記憶部と、
前記第１の記憶手段に記憶された銘柄識別情報を前記注文入力画面の注文銘柄の入力欄に表示させ、前記第２の記憶手段に記憶された売買区分を前記注文入力画面の売買区分の入力欄に表示させ、前記第３の記憶手段に記憶された注文数量を前記注文入力画面の注文数量の入力欄に表示させ、前記第４の記憶手段に記憶された注文単価を前記注文入力画面の注文単価の入力欄に表示させ、前記第５の記憶手段に記憶された注文有効期限を前記注文入力画面の注文有効期限の入力欄に表示させ、有価証券の銘柄を示す銘柄識別情報に対応つけて当該銘柄の株価チャートを表示するための株価チャートデータを記憶する記憶装置で前記第１の記憶手段に記憶された銘柄識別情報に対応付けて記憶された株価チャートデータが示す株価チャートをさらに前記注文入力画面に表示させ、前記第５の記憶手段に記憶された注文有効期限を示す垂直線であって前記入力部の操作により横方向に移動可能な垂直線を前記注文入力画面の前記株価チャート上に表示させる表示処理を行う情報処理部と
を具備し、
前記情報処理部は、前記垂直線を移動させる前記入力部の操作入力に基づいて前記垂直線を横方向に移動させ、移動した前記垂直線の表示位置に対応する前記株価チャートの横軸上の日付を検出し、前記第５の記憶手段の前記注文有効期限を当該検出した日付を示す情報に更新する更新処理を行い、前記売買注文情報を送信すべき旨の送信指示情報が前記入力部から入力された場合に、当該送信指示情報に基づき、前記注文内容記憶部に記憶された前記売買注文情報を前記売買注文処理装置に送信する送信処理を行う
ことを特徴とする売買注文入力装置。
【請求項４】
有価証券の売買注文の内容を示す売買注文情報であって当該売買注文の注文銘柄を示す銘柄識別情報及び注文有効期限を含む売買注文情報を、前記売買注文情報が示す前記有価証券の売買注文を当該有価証券の取引市場システムに発注するための処理を行う売買注文処理装置に対して送信する売買注文入力装置において、
前記売買注文の内容を示す売買注文情報を記憶する注文内容記憶部であって前記売買注文の注文有効期限を記憶する注文有効期限記憶手段を有する注文内容記憶部と、
前記売買注文の注文銘柄の株価チャートと、前記売買注文の注文銘柄を示す銘柄識別情報と、前記売買注文の注文有効期限の入力欄とを注文画面に表示するための注文画面データを記憶する記憶装置に記憶された前記注文画面データが示す前記注文画面を表示させ、前記注文有効期限記憶手段に記憶された注文有効期限を前記注文画面の前記注文有効期限の入力欄に表示させ、前記注文有効期限記憶手段に記憶された注文有効期限を示す垂直線であって入力部の操作により横方向に移動可能な垂直線を前記注文画面の前記株価チャート上に表示させる表示処理を行う情報処理部と
を具備し、
前記情報処理部は、前記垂直線を移動させる前記入力部の操作入力に基づいて前記垂直線を横方向に移動させ、移動した前記垂直線の表示位置に対応する前記株価チャートの横軸上の日付を検出し、前記注文有効期限記憶手段の前記注文有効期限を当該検出した日付を示す情報に更新する更新処理を行い、前記売買注文情報を送信すべき旨の送信指示情報が前記入力部から入力された場合に、当該送信指示情報に基づき、前記注文内容記憶部に記憶された前記売買注文情報を前記売買注文処理装置に送信する送信処理を行う
ことを特徴とする売買注文入力装置。
【請求項５】
前記株価チャートは、一目均衡表のチャートであり、
前記情報処理部は、前記垂直線を移動させる前記入力部の操作入力に基づいて前記垂直線を横方向に移動させ、移動した前記垂直線の表示位置に対応する前記一目均衡表のチャートの横軸上における日付を検出し、検出した日付が当日以降の日付である場合に前記注文有効期限記憶手段の前記注文有効期限を当該検出した日付を示す情報に更新する更新処理を行う
ことを特徴とする請求項３又は４に記載の売買注文入力装置。
【請求項６】
コンピュータを、請求項１〜５の何れか一項に記載の売買注文入力装置として機能させるためのプログラム。
【発明の詳細な説明】
【技術分野】
【０００１】
本発明は、有価証券の売買注文が入力される売買注文入力装置及びプログラムに関する。
【背景技術】
【０００２】
投資家が自己の端末を用いて株式などの有価証券の売買注文を発注する場合、投資家は、まず自己の端末からインターネットを通じて証券会社の売買注文処理装置にアクセスし、自己の端末に売買注文情報を入力するための注文入力画面を表示させる。売買注文情報には、注文銘柄を示す銘柄識別情報、売買区分、注文数量、注文単価及び注文有効期限が含まれる。そして投資家は、表示された注文入力画面に売買注文情報を入力し、入力した売買注文情報を証券会社の売買注文処理装置に送信する。証券会社の売買注文処理装置は、投資家の端末から受信した売買注文情報が示す売買注文を証券取引所の売買システム等の有価証券の取引市場システムに発注する（例えば、非特許文献１参照）。
【０００３】
株価チャート上にスライドバーを表示させてスライドバーを移動させる操作を行うことができる携帯電話機が知られている（例えば、特許文献１参照）。また、株価チャート上にマウス操作により移動可能な水平線と垂直線を表示し、株価チャート上の水平線の表示位置に対応する株価チャートの縦軸上の株価（即ち株価チャート上の水平線が示す株価）を表示するとともに株価チャート上の垂直線の表示位置に対応する株価チャートの横軸上の日付（即ち垂直線が示す日付）と当該日付の４本値等を表示し、また株価チャート上にトレンドラインを示す線分を記入して当該線分をマウスのドラッグ操作により移動可能としたシステムが知られている（例えば、非特許文献２参照）。
【０００４】
【特許文献１】特開２００３−５８７１６号公報
【非特許文献１】大和証券株式会社、オンライントレードデモ画面、[online]、［平成１９年７月３１日検索］、インターネット＜ＵＲＬ：http://www.daiwa.jp/ja/olt_demo/index.html＞
【非特許文献２】ケン・ミレニアム株式会社、デモチャート、[online]、［平成１９年７月３１日検索］、インターネット＜ＵＲＬ：http://www.miller.co.jp/kmp00/visitor/apps/cgi-bin/cv0dch04c.cgi＞
【発明の開示】
【発明が解決しようとする課題】
【０００５】
投資家が注文銘柄の注文単価を決める際に参考にする情報の一つに、当該銘柄の価格の推移を示す株価チャートを挙げることができる。株価チャートを見ることにより、投資家は当該銘柄の価格の推移を視覚的に把握することができる。しかし従来は、注文内容の入力欄に入力された注文単価を注文銘柄の株価チャート上の操作により修正することができなかった。
【０００６】
本発明は上記のような事情を考慮してなされたものであり、その目的は、注文内容の入力欄の入力情報を注文銘柄の株価チャート上の操作により修正することができる売買注文入力装置及びプログラムを提供することにある。
【課題を解決するための手段】
【０００７】
本発明の第１の形態は、有価証券の売買注文の内容を示す売買注文情報であって当該売買注文の注文銘柄を示す銘柄識別情報、売買区分、注文数量及び注文単価を含む売買注文情報を入力するための入力欄を含む注文入力画面を表示部に表示し、前記注文入力画面に入力された前記売買注文情報を、前記売買注文情報が示す前記有価証券の売買注文を前記有価証券の取引市場システムに発注するための処理を行う売買注文処理装置に対して送信する売買注文入力装置において、
操作者が入力操作を行う入力部から前記注文入力画面の注文銘柄の入力欄に入力された銘柄識別情報を記憶する第１の記憶手段、前記注文入力画面の売買区分の入力欄に入力された売買区分を記憶する第２の記憶手段、前記注文入力画面の注文数量の入力欄に入力された注文数量を記憶する第３の記憶手段、及び、前記注文入力画面の注文単価の入力欄に入力された注文単価を記憶する第４の記憶手段を有する注文内容記憶部と、前記第１の記憶手段に記憶された銘柄識別情報を前記注文入力画面の注文銘柄の入力欄に表示させ、前記第２の記憶手段に記憶された売買区分を前記注文入力画面の売買区分の入力欄に表示させ、前記第３の記憶手段に記憶された注文数量を前記注文入力画面の注文数量の入力欄に表示させ、前記第４の記憶手段に記憶された注文単価を前記注文入力画面の注文単価の入力欄に表示させ、有価証券の銘柄を示す銘柄識別情報に対応つけて当該銘柄の株価チャートを表示するための株価チャートデータを記憶する記憶装置で前記第１の記憶手段に記憶された銘柄識別情報に対応付けて記憶された株価チャートデータが示す株価チャートをさらに前記注文入力画面に表示させ、前記第４の記憶手段に記憶された注文単価を示す水平線であって前記入力部の操作により縦方向に移動可能な水平線を前記注文入力画面の前記株価チャート上に表示させる表示処理を行う情報処理部とを具備し、
前記情報処理部は、前記水平線を移動させる前記入力部の操作入力に基づいて前記水平線を縦方向に移動させ、移動した前記水平線の表示位置に対応する前記株価チャートの縦軸上の株価を検出し、前記第４の記憶手段の前記注文単価を当該検出した株価に更新する更新処理を行い、前記売買注文情報を送信すべき旨の送信指示情報が前記入力部から入力された場合に、当該送信指示情報に基づき、前記注文内容記憶部に記憶された前記売買注文情報を前記売買注文処理装置に送信する送信処理を行うことを特徴とする売買注文入力装置である。
【０００８】
本発明の第２の形態は、有価証券の売買注文の内容を示す売買注文情報であって当該売買注文の注文銘柄を示す銘柄識別情報及び注文単価を含む売買注文情報を、前記売買注文情報が示す前記有価証券の売買注文を前記有価証券の取引市場システムに発注するための処理を行う売買注文処理装置に対して送信する売買注文入力装置において、
前記売買注文の内容を示す売買注文情報を記憶する注文内容記憶部であって前記売買注文の注文単価を記憶する注文単価記憶手段を有する注文内容記憶部と、前記売買注文の注文銘柄の株価チャートと、前記売買注文の注文銘柄を示す銘柄識別情報と、前記売買注文の注文単価の入力欄とを注文画面に表示するための注文画面データを記憶する記憶装置に記憶された前記注文画面データが示す前記注文画面を表示させ、前記注文単価記憶手段に記憶された注文単価を前記注文画面の前記注文単価の入力欄に表示させ、前記注文単価記憶手段に記憶された注文単価を示す水平線であって入力部の操作により縦方向に移動可能な水平線を前記注文画面の前記株価チャート上に表示させる表示処理を行う情報処理部とを具備し、
前記情報処理部は、前記水平線を移動させる前記入力部の操作入力に基づいて前記水平線を縦方向に移動させ、移動した前記水平線の表示位置に対応する前記株価チャートの縦軸上の株価を検出し、前記注文単価記憶手段の前記注文単価を当該検出した株価に更新する更新処理を行い、前記売買注文情報を送信すべき旨の送信指示情報が前記入力部から入力された場合に、当該送信指示情報に基づき、前記注文内容記憶部に記憶された前記売買注文情報を前記売買注文処理装置に送信する送信処理を行うことを特徴とする売買注文入力装置である。
【０００９】
本発明の第３の形態は、有価証券の売買注文の内容を示す売買注文情報であって当該売買注文の注文銘柄を示す銘柄識別情報、売買区分、注文数量、注文単価及び注文有効期限を含む売買注文情報を入力するための入力欄を含む注文入力画面を表示部に表示し、前記注文入力画面に入力された前記売買注文情報を、前記売買注文情報が示す前記有価証券の売買注文を前記有価証券の取引市場システムに発注するための処理を行う売買注文処理装置に対して送信する売買注文入力装置において、
操作者が入力操作を行う入力部から前記注文入力画面の注文銘柄の入力欄に入力された銘柄識別情報を記憶する第１の記憶手段、前記注文入力画面の売買区分の入力欄に入力された売買区分を記憶する第２の記憶手段、前記注文入力画面の注文数量の入力欄に入力された注文数量を記憶する第３の記憶手段、前記注文入力画面の注文単価の入力欄に入力された注文単価を記憶する第４の記憶手段、及び、前記注文入力画面の注文有効期限の入力欄に入力された注文有効期限を記憶する第５の記憶手段を有する注文内容記憶部と、前記第１の記憶手段に記憶された銘柄識別情報を前記注文入力画面の注文銘柄の入力欄に表示させ、前記第２の記憶手段に記憶された売買区分を前記注文入力画面の売買区分の入力欄に表示させ、前記第３の記憶手段に記憶された注文数量を前記注文入力画面の注文数量の入力欄に表示させ、前記第４の記憶手段に記憶された注文単価を前記注文入力画面の注文単価の入力欄に表示させ、前記第５の記憶手段に記憶された注文有効期限を前記注文入力画面の注文有効期限の入力欄に表示させ、有価証券の銘柄を示す銘柄識別情報に対応つけて当該銘柄の株価チャートを表示するための株価チャートデータを記憶する記憶装置で前記第１の記憶手段に記憶された銘柄識別情報に対応付けて記憶された株価チャートデータが示す株価チャートをさらに前記注文入力画面に表示させ、前記第５の記憶手段に記憶された注文有効期限を示す垂直線であって前記入力部の操作により横方向に移動可能な垂直線を前記注文入力画面の前記株価チャート上に表示させる表示処理を行う情報処理部とを具備し、
前記情報処理部は、前記垂直線を移動させる前記入力部の操作入力に基づいて前記垂直線を横方向に移動させ、移動した前記垂直線の表示位置に対応する前記株価チャートの横軸上の日付を検出し、前記第５の記憶手段の前記注文有効期限を当該検出した日付を示す情報に更新する更新処理を行い、前記売買注文情報を送信すべき旨の送信指示情報が前記入力部から入力された場合に、当該送信指示情報に基づき、前記注文内容記憶部に記憶された前記売買注文情報を前記売買注文処理装置に送信する送信処理を行うことを特徴とする売買注文入力装置である。
【００１０】
本発明の第４の形態は、有価証券の売買注文の内容を示す売買注文情報であって当該売買注文の注文銘柄を示す銘柄識別情報及び注文有効期限を含む売買注文情報を、前記売買注文情報が示す前記有価証券の売買注文を当該有価証券の取引市場システムに発注するための処理を行う売買注文処理装置に対して送信する売買注文入力装置において、
前記売買注文の内容を示す売買注文情報を記憶する注文内容記憶部であって前記売買注文の注文有効期限を記憶する注文有効期限記憶手段を有する注文内容記憶部と、前記売買注文の注文銘柄の株価チャートと、前記売買注文の注文銘柄を示す銘柄識別情報と、前記売買注文の注文有効期限の入力欄とを注文画面に表示するための注文画面データを記憶する記憶装置に記憶された前記注文画面データが示す前記注文画面を表示させ、前記注文有効期限記憶手段に記憶された注文有効期限を前記注文画面の前記注文有効期限の入力欄に表示させ、前記注文有効期限記憶手段に記憶された注文有効期限を示す垂直線であって入力部の操作により横方向に移動可能な垂直線を前記注文画面の前記株価チャート上に表示させる表示処理を行う情報処理部とを具備し、
前記情報処理部は、前記垂直線を移動させる前記入力部の操作入力に基づいて前記垂直線を横方向に移動させ、移動した前記垂直線の表示位置に対応する前記株価チャートの横軸上の日付を検出し、前記注文有効期限記憶手段の前記注文有効期限を当該検出した日付を示す情報に更新する更新処理を行い、前記売買注文情報を送信すべき旨の送信指示情報が前記入力部から入力された場合に、当該送信指示情報に基づき、前記注文内容記憶部に記憶された前記売買注文情報を前記売買注文処理装置に送信する送信処理を行うことを特徴とする売買注文入力装置である。
【００１１】
本発明の第３又は第４の形態の売買注文入力装置において、前記株価チャートを一目均衡表のチャートとし、前記情報処理部は、前記垂直線を移動させる前記入力部の操作入力に基づいて前記垂直線を横方向に移動させ、移動した前記垂直線の表示位置に対応する前記一目均衡表のチャートの横軸上における日付を検出し、検出した日付が当日以降の日付である場合に前記注文有効期限記憶手段の前記注文有効期限を当該検出した日付を示す情報に更新する更新処理を行う構成としてもよい。
【００１２】
本発明の第５の形態は、コンピュータを、上記本発明の第１から第４の形態の何れかの売買注文入力装置として機能させるためのプログラムである。
【発明の効果】
【００１３】
本発明の第１又は第２の形態の売買注文入力装置によれば、注文単価の入力欄の注文単価を示す水平線を注文銘柄の株価チャート上に表示し、株価チャート上の当該水平線を移動させる操作により注文単価を修正することができ、株価チャートが示す価格変動の傾向と注文単価の関係を視覚的に把握しつつ注文単価を修正することが可能である。
本発明の第３又は第４の形態の売買注文入力装置によれば、注文有効期限の入力欄の注文有効期限を示す垂直線を注文銘柄の株価チャート上に表示し、株価チャート上の当該垂直線を移動させる操作により注文有効期限を修正することができ、株価チャートが示す価格変動の傾向と注文有効期限の関係を視覚的に把握しつつ注文有効期限を修正することが可能である。
【発明を実施するための最良の形態】
【００１４】
以下、本発明の実施形態について図面を参照して説明する。図１は、本発明の一実施形態に係る売買注文入力装置１０の使用環境を説明するための概略図である。売買注文入力装置１０は、インターネット等の通信回線１を通じて売買注文処理装置２０に接続することができるようになっている。売買注文処理装置２０は、例えば証券会社などの金融機関に設置され、注文入力画面を表示するための注文入力画面データ、株価チャートを表示するための株価チャートデータ等を売買注文入力装置１０に送信するサーバとしての機能を備えている。売買注文処理装置２０は、株式等の有価証券の売買取引処理を行う取引市場システムである売買システム３０に通信回線を通じて接続されており、この通信回線は専用回線又は専用線としてもよい。
【００１５】
売買注文入力装置１０は個人投資家が操作する端末装置であり、この端末装置の操作者である個人投資家は上記金融機関の顧客であり、通信回線１には複数の売買注文入力装置１０が接続されている。売買注文入力装置１０は、キーボード１２、マウス等のポインティングデバイス１４、表示部であるディスプレイ１６、及び処理部１８を有している。売買注文入力装置１０は売買注文処理装置２０にアクセスして、有価証券（例えば、株式、債券、上場投信等）の売買注文データ（売買注文情報）を入力するための注文入力画面をディスプレイ１６に表示する。売買注文データには、注文銘柄の銘柄コード、売買区分を示す売買区分情報、注文数量、注文単価、及び注文有効期限を示す注文有効期限情報が含まれる。売買注文入力装置１０の処理部１８は、当該売買注文入力装置１０を操作する投資家を識別するための識別情報である顧客ＩＤを予め記憶しており、注文入力画面に入力された売買注文データを、投資家を識別するための識別情報である顧客ＩＤとともに売買注文処理装置２０に送信する。売買注文処理装置２０は、売買注文入力装置１０から受信した売買注文データが示す売買注文の発注処理を行い、一例として銘柄コード、売買区分、注文数量、注文単価等を含む売買注文データを有価証券の取引市場の売買システム３０に送信する。
【００１６】
売買注文入力装置１０は、売買注文の注文内容の表示欄である注文内容表示欄と株価チャートの表示欄であるチャート表示欄を有する注文入力画面をディスプレイ１６に表示し、注文入力画面の注文内容表示欄には売買注文の注文内容が入力される注文入力欄が表示され、注文入力画面のチャート表示欄には注文銘柄の株価チャートが表示される。株価チャートを表示するための株価チャートデータは、売買注文処理装置２０の株価チャート用記憶装置に有価証券の銘柄を示す銘柄コードに対応付けて記憶されており、売買注文処理装置２０は売買注文入力装置１０からの注文銘柄の株価チャートデータの要求に応じて当該銘柄の株価チャートデータを売買注文入力装置１０に送る。注文入力画面のチャート表示欄の株価チャート上には、注文入力画面の注文単価の注文入力欄に入力された注文単価が水平線で表示され、株価チャート上の当該水平線を移動させる操作をキーボード１２又はポインティングデバイス１４から行うことにより注文入力欄の注文単価を株価チャート上の水平線が示す株価に更新して修正することができるようになっている。このため、操作者は株価チャートが示す価格変動の傾向と注文単価の関係を視覚的に把握しつつ注文単価を修正することが可能となっている。またチャート表示欄の株価チャート上には、注文入力画面の注文有効期限の注文入力欄に入力された注文有効期限が垂直線で表示され、株価チャート上の当該垂直線を移動させる操作をキーボード１２又はポインティングデバイス１４から行うことにより注文入力欄の注文有効期限を株価チャート上の垂直線が示す日付に更新して修正することができるようになっており、操作者は注文有効期限を株価チャート上で視覚的に把握しつつ修正することが可能となっている。
【００１７】
図２は、売買注文入力装置１０の構成の一例を説明するためのブロック図である。この売買注文入力装置１０は、端末装置を用いて構成されており、キーボード１２と、ポインティングデバイス１４と、ディスプレイ１６と、処理部１８を有する。処理部１８は、例えば上記端末装置のコンピュータ本体により構成され、情報処理部１００と注文内容記憶部１１０を有しており、通信回線１を通じて売買注文処理装置２０と通信することができるようになっている。有価証券の売買注文の内容を示す売買注文データを記憶する注文内容記憶部１１０は、第１から第５の記憶手段１１１〜１１５を有しており、第１の記憶手段（注文銘柄記憶手段）１１１は売買注文の注文銘柄を示す銘柄識別情報の一例である銘柄コードを記憶し、第２の記憶手段（注文区分記憶手段）１１２は売買注文の売買区分を示す売買区分情報を記憶し、第３の記憶手段（注文数量記憶手段）１１３は売買注文の注文数量を記憶し、第４の記憶手段（注文単価記憶手段）１１４は売買注文の注文単価を記憶し、第５の記憶手段（注文有効期限記憶手段）１１５は売買注文の注文有効期限を示す注文有効期限情報を記憶する。キーボード１２とポインティングデバイス１４から入力された情報は情報処理部１００に送られるようになっており、情報処理部１００は例えばＣＰＵ（中央処理装置）を用いて構成してもよい。
【００１８】
情報処理部１００は、キーボード１２又はポインティングデバイス１４から注文入力画面の銘柄コードの入力欄に有価証券の銘柄を示す銘柄コードが入力されると、入力された銘柄コードを第１の記憶手段１１１に記憶する。そして、第１の記憶手段１１１に記憶された銘柄コードが示す注文銘柄の株価チャートを表示するための株価チャートデータを売買注文処理装置２０の株価チャート用記憶装置から通信回線１を通じて取得し、チャート表示欄と注文内容表示欄を有する注文入力画面をディスプレイ１６に表示し、チャート表示欄には当該注文銘柄の株価チャートを表示するとともに注文内容表示欄には第１の記憶手段１１１の銘柄コードが入力された状態の注文入力欄を表示させる処理を行う。
【００１９】
情報処理部１００は、キーボード１２又はポインティングデバイス１４から注文入力画面の注文単価の入力欄に注文単価が入力されると、当該注文単価を示す水平線であってキーボード１２又はポインティングデバイス１４の操作によって縦方向（上下方向）に移動可能な水平線をチャート表示欄の株価チャート上に表示させる。そして、キーボード１２又はポインティングデバイス１４の操作によって株価チャート上の水平線が移動した場合に、移動した水平線が株価チャート上で示す株価を検出し、検出した株価を第４の記憶手段１１４に記憶して注文入力画面の注文単価の入力欄の注文単価を当該検出した株価に更新して表示する。また、情報処理部１００は、キーボード１２又はポインティングデバイス１４から注文入力画面の注文有効期限の入力欄に注文有効期限を示す情報が入力されると、当該注文有効期限を示す垂直線であってキーボード１２又はポインティングデバイス１４の操作によって横方向（左右方向）に移動可能な垂直線をチャート表示欄の株価チャート上に表示させる。そして、キーボード１２又はポインティングデバイス１４の操作によって株価チャート上の垂直線が移動した場合に、移動した垂直線が株価チャート上で示す日付を検出し、検出した日付を示す情報を第５の記憶手段１１５に記憶して注文入力画面の注文有効期限の入力欄の注文有効期限情報を当該検出した日付を示す情報に更新して表示する。
【００２０】
また、情報処理部１００は、キーボード１２又はポインティングデバイス１４から売買注文データを送信すべき旨の送信指示情報が入力された場合に、送信指示情報に基づき、注文内容記憶部１１０の第１から第５の記憶手段１１１〜１１５に記憶された売買注文データを読み出して売買注文処理装置２０に送信することにより、注文入力画面に入力された売買注文データを売買注文処理装置２０に送信する処理を行う。
【００２１】
図３は、注文内容記憶部１１０に記憶される売買注文データの構成の一例をテーブル形式で示す説明図であり、図３（Ａ）の注文内容記憶部１１０は修正前の売買注文データを記憶しており、図３（Ｂ）の注文内容記憶部１１０は修正後の売買注文データを記憶している。
図３（Ａ）の注文内容記憶部１１０では、第１の記憶手段１１１には銘柄コード「１０００」が記憶されており、第２の記憶手段１１２には「買」を示す売買区分情報が記憶されており、第３の記憶手段１１３には注文数量「２０００」株が記憶されており、第４の記憶手段１１４には注文単価「１３００」円が記憶されており、第５の記憶手段１１５には注文有効期限「当日限り」を示す注文有効期限情報が記憶されている。
図３（Ｂ）の注文内容記憶部１１０では、第１の記憶手段１１１には銘柄コード「１０００」が記憶されており、第２の記憶手段１１２には「買」を示す売買区分情報が記憶されており、第３の記憶手段１１３には注文数量「２０００」株が記憶されており、第４の記憶手段１１４には注文単価「１３００」円から注文単価「１３５０」円に更新されて記憶されており、第５の記憶手段１１５には「当日限り」を示す注文有効期限情報から「○月×日」を示す注文有効期限情報に更新されて記憶されている。なお、本実施形態では当日の翌日が○月×日となっている。
【００２２】
図４は、有価証券の売買注文を発注する際に、売買注文入力装置１０及び売買注文処理装置２０が行う処理動作の一例を説明するためのフローチャートである。
まず売買注文入力装置１０は、操作者がキーボード１２又はポインティングデバイス１４を介して入力した注文入力画面の表示指示情報に従って、注文入力画面データを要求する要求情報と当該操作者を識別する顧客ＩＤを売買注文処理装置２０に送信する（Ｓ２）。売買注文処理装置２０は、注文入力画面を表示するための注文入力画面データを注文入力画面用記憶装置に記憶しており、売買注文入力装置１０から注文入力画面データの要求情報と顧客ＩＤを受信すると、注文入力画面データを注文入力画面用記憶装置から読み出して売買注文入力装置１０に送信する（Ｓ４）。
【００２３】
売買注文入力装置１０の情報処理部１００は、売買注文処理装置２０から注文入力画面データを受信し、受信した注文入力画面データを情報処理部１００の注文入力画面表示用の記憶手段に記憶し、売買注文処理装置２０からの注文入力画面データに基づいて注文入力画面をディスプレイ１６に表示させる（Ｓ６）。
【００２４】
図５は、図４のフローチャートのＳ６で売買注文入力装置１０のディスプレイ１６に表示される注文入力画面の一例を示す説明図である。図５に示す画面例において、注文入力画面の注文入力欄は、銘柄コードが入力されるコード入力欄２１１と、売買区分情報が入力される売買区分入力欄２１２と、注文数量が入力される注文数量入力欄２１３と、指値注文の注文単価又は成行注文を示す情報が入力される注文単価入力欄２１４と、注文有効期限情報が入力される注文有効期限入力欄２１５を有しており、注文入力画面の注文内容表示欄２００には注文内容を確認する注文確認画面を表示させるための確認ボタン２１６であって売買注文データの送信指示情報を入力するための確認ボタン２１６と、銘柄コードの銘柄の株価チャートを表示させるためのチャート表示ボタン２１１ａと、注文単価を示す水平線を株価チャート上に表示させるための記入ボタン２１４ａと、注文有効期限を示す垂直線を株価チャート上に表示させるための記入ボタン２１５ａと、注文入力欄２１１〜２１５が表示されている。
【００２５】
銘柄コードを入力するためのコード入力欄２１１はテキストボックスとなっており、操作者が当該テキストボックスをポインティングデバイス１４からポインタで指定してクリック操作することで、ポインティングデバイス１４の当該操作入力に基づいて情報処理部１００は第１の記憶手段１１１を選択するとともに当該テキストボックス内にカーソル又はキャレットを表示させ、続いて操作者がキーボード１２から数字を入力すると当該入力された数字を情報処理部１００が第１の記憶手段１１１に書き込んで記憶し、第１の記憶手段１１１に記憶された数字を当該テキストボックス内に表示させることで当該テキストボックスに銘柄コードを入力した状態で表示させるようになっている。
【００２６】
売買区分情報を入力するための売買区分入力欄２１２は「買」のラジオボタンと「売」のラジオボタンからなり、操作者が「買」のラジオボタンをポインティングデバイス１４からポインタで指定してクリック操作することで、ポインティングデバイス１４の当該操作入力に基づいて情報処理部１００は第２の記憶手段１１２を選択して「買」を示す売買区分情報を第２の記憶手段１１２に書き込んで記憶し、第２の記憶手段１１２に記憶された「買」を示す売買区分情報に基づいて「買」のラジオボタンにドットを表示させるようになっており、「売」のラジオボタンをポインティングデバイス１４からポインタで指定してクリック操作することで、ポインティングデバイス１４の当該操作入力に基づいて情報処理部１００は第２の記憶手段１１２を選択して「売」を示す売買区分情報を第２の記憶手段１１２に書き込んで記憶し、第２の記憶手段１１２に記憶された「売」を示す売買区分情報に基づいて「売」のラジオボタンにドットを表示させるようになっている。
【００２７】
注文数量を入力するための注文数量入力欄２１３はテキストボックスとなっており、当該テキストボックスをポインティングデバイス１４からポインタで指定してクリック操作することで、ポインティングデバイス１４の当該操作入力に基づいて情報処理部１００は第３の記憶手段１１３を選択するとともに当該テキストボックス内にカーソル又はキャレットを表示させ、続いて操作者がキーボード１２から数字を入力すると当該入力された数字を情報処理部１００は第３の記憶手段１１３に書き込んで記憶し、第３の記憶手段１１３に記憶された数字を当該テキストボックス内に表示させることで当該テキストボックスに注文数量を入力した状態で表示させるようになっている。
【００２８】
注文単価を入力するための注文単価入力欄２１４は指値注文を示す「指値」のラジオボタンと指値注文の注文単価を入力するためのテキストボックスと成行注文を示す「成行」のラジオボタンからなり、操作者が「指値」のラジオボタンをポインティングデバイス１４からポインタで指定してクリック操作することで、ポインティングデバイス１４の当該操作入力に基づいて情報処理部１００が第４の記憶手段１１４を選択して指値注文を示す情報を第４の記憶手段１１４に記憶し、第４の記憶手段１１４に記憶された情報に基づいて「指値」のラジオボタンにドットを表示させ、次に操作者が当該テキストボックスをポインティングデバイス１４からポインタで指定してクリック操作することで、ポインティングデバイス１４の当該操作入力に基づいて情報処理部１００が第４の記憶手段１１４を選択するとともに当該テキストボックス内にカーソル又はキャレットを表示させ、続いて操作者がキーボード１２から数字を入力すると入力された数字を情報処理部１００が第４の記憶手段１１４に書き込んで記憶し、第４の記憶手段１１４に記憶された数字を当該テキストボックス内に表示させることで当該テキストボックスに注文単価を入力した状態で表示させるようになっており、操作者が「成行」のラジオボタンをポインティングデバイス１４からポインタで指定してクリック操作することで、ポインティングデバイス１４の当該操作入力に基づいて第４の記憶手段１１４を選択して成行注文を示す情報を第４の記憶手段１１４に書き込んで記憶し、第４の記憶手段１１４に記憶された成行注文を示す情報に基づいて「成行」のラジオボタンにドットを表示させるようになっている。
【００２９】
注文有効期限情報を入力するための注文有効期限入力欄２１５は「当日限り」のラジオボタンと「期間指定」のラジオボタンと日付を入力するための入力ボックス（テキストボックス、コンボボックス又はリストボックス）からなり、操作者が「当日限り」のラジオボタンをポインティングデバイス１４からポインタで指定してクリック操作することで、ポインティングデバイス１４の当該操作入力に基づいて情報処理部１００は第５の記憶手段１１５を選択して注文有効期限が当日限りであることを示す情報を第５の記憶手段１１５に書き込んで記憶し、第５の記憶手段１１５に記憶された注文有効期限が当日限りであることを示す情報に基づいて「当日限り」のラジオボタンにドットを表示させるようになっており、操作者が「期間指定」のラジオボタンをポインティングデバイス１４からポインタで指定してクリック操作することで、ポインティングデバイス１４の当該操作入力に基づいて第５の記憶手段１１５を選択して「期間指定」を示す情報を第５の記憶手段１１５に書き込んで記憶し、第５の記憶手段１１５に記憶された「期間指定」を示す情報に基づいて「期間指定」のラジオボタンにドットを表示させるようになっており、次に操作者が当該入力ボックスをポインティングデバイス１４からポインタで指定してクリック操作することで、ポインティングデバイス１４の当該操作入力に基づいて情報処理部１００は第５の記憶手段１１５を選択するとともに当該入力ボックス内にカーソル又はキャレットを表示させ、続いて操作者がキーボード１２又はポインティングデバイス１４から注文有効期限情報を入力すると、入力された注文有効期限情報を第５の記憶手段１１５に書き込んで記憶し、第５の記憶手段１１５に記憶された注文有効期限情報を当該入力ボックスに表示させることで当該入力ボックスに注文有効期限情報を入力した状態で表示させるようになっている。
【００３０】
図４に戻る。注文入力画面がディスプレイ１６に表示されると、売買注文入力装置１０の操作者は、キーボード１２又はポインティングデバイス１４を介して注文入力画面のコード入力欄２１１に銘柄コードを入力し（Ｓ８）、入力された銘柄コードを情報処理部１００は第１の記憶手段１１１に書き込んで記憶し、第１の記憶手段１１１に記憶された銘柄コードをコード入力欄２１１内に表示させ、第１の記憶手段１１１に記憶された銘柄コードと株価チャートデータを要求する要求情報と顧客ＩＤを売買注文処理装置２０に送信する（Ｓ１０）。この情報処理部１００は、一例として、注文入力画面のコード入力欄２１１に注文銘柄の銘柄コードが入力されてチャート表示ボタン２１１ａがポインティングデバイス１４によりクリック操作等されて押された場合に、チャート表示ボタン２１１ａが操作されることにより入力されたチャート表示要求情報に基づき、第１の記憶手段１１１に書き込まれて記憶された銘柄コードと株価チャートデータを要求する要求情報と顧客ＩＤを売買注文処理装置２０に送信し、コード入力欄２１１に入力された銘柄コードが示す銘柄の株価チャートを表示するための株価チャートデータを売買注文処理装置２０の記憶装置から取得するようにしてもよい。
【００３１】
売買注文処理装置２０は、売買注文入力装置１０から銘柄コードと株価チャートデータの要求情報と顧客ＩＤを受信すると、受信した銘柄コードに対応する株価チャートデータを株価チャート用記憶装置から検索して読み出し、読み出した当該銘柄コードの銘柄の株価チャートデータを売買注文入力装置１０に送信する（Ｓ１４）。売買注文入力装置１０の情報処理部１００は、売買注文処理装置２０から株価チャートデータを受信し、売買注文処理装置２０から受信した株価チャートデータと注文入力画面用の記憶手段に記憶された注文入力画面データに基づいて注文銘柄の株価チャートのチャート表示欄と注文内容表示欄を有する注文入力画面をディスプレイ１６に表示させる（Ｓ１６）。なお、情報処理部１００は、一例として、注文入力画面のコード入力欄２１１に注文銘柄の銘柄コードが入力されてチャート表示ボタン２１１ａがポインティングデバイス１４によりクリック操作等されて押された場合に、チャート表示ボタン２１１ａが操作されることにより入力されたチャート表示要求情報に基づき、第１の記憶手段１１１に書き込まれて記憶された銘柄コードが示す銘柄の株価チャートのチャート表示欄と注文入力欄２１１〜２１５とボタン２１１ａ，２１４ａ，２１５ａを含む注文内容表示欄を有する注文入力画面を表示するための注文入力画面データを要求する要求情報と第１の記憶手段１１１に記憶された注文銘柄の銘柄コードと顧客ＩＤを売買注文処理装置２０に送信し（Ｓ１０）、有価証券の銘柄コードに対応付けて当該銘柄コードが示す銘柄の株価チャートを表示するための株価チャートデータを記憶する株価チャート用記憶装置及び注文入力画面用記憶装置を有する売買注文処理装置２０で注文銘柄の株価チャートデータと注文入力画面データから売買注文処理装置２０で生成された注文銘柄の株価チャートのチャート表示欄と注文入力欄２１１〜２１５とボタン２１１ａ，２１４ａ，２１５ａ，２１６を含む注文内容表示欄とを有する注文入力画面を表示するための注文入力画面データであって注文銘柄の株価チャートデータを含む注文入力画面データを取得し（Ｓ１４）、取得した注文入力画面データを注文入力画面表示用の記憶手段に記憶し、売買注文処理装置２０からの注文入力画面データに基づいて注文入力画面をディスプレイ１６に表示させるようにしてもよい（Ｓ１６）。
【００３２】
売買注文入力装置１０の操作者は、キーボード１２又はポインティングデバイス１４を介して注文入力画面の注文入力欄２１２〜２１５に売買注文データの構成要素である売買区分、注文数量、注文単価のデータ入力を行い、入力された情報が情報処理部１００に送られる（Ｓ１８）。情報処理部１００は、キーボード１２又はポインティングデバイス１４からチャート表示欄を有する注文入力画面の注文単価入力欄２１４のテキストボックスに注文単価が入力されて注文入力画面内の記入ボタン２１４ａがポインティングデバイス１４によりクリック操作等されて押された場合に、記入ボタン２１４ａの操作より入力された株価チャート上への注文単価の記入指示を示す記入指示情報に基づき、注文単価入力欄２１４の注文単価を示す水平線であってキーボード１２又はポインティングデバイス１４の操作によって縦方向に移動可能な水平線をチャート表示欄の株価チャート上に表示させる。そして、キーボード１２又はポインティングデバイス１４の操作によって株価チャート上の水平線が移動した場合に移動した水平線が株価チャート上で示す株価を検出し、注文単価入力欄２１４の注文単価を当該検出した株価に更新する処理を行う。一例として、ポインティングデバイス１４のポインタで水平線を指定して株価チャートの縦方向にドラッグ操作された場合に、当該ポインティングデバイス１４のドラッグ操作に基づいて情報処理部１００は水平線を縦方向に移動させ、移動した水平線の表示位置に対応する株価チャートの縦軸上の株価を検出し、検出した株価を第４の記憶手段１１４に上書きして記憶することにより第４の記憶手段１１４の注文単価を当該検出した株価に更新し、第４の記憶手段１１４で更新された注文単価を注文単価入力欄２１４のテキストボックス内に表示させることで、注文単価入力欄２１４の注文単価を当該検出した株価に更新して表示させるようにしてもよい。
【００３３】
また、情報処理部１００は、キーボード１２又はポインティングデバイス１４からチャート表示欄を有する注文入力画面の注文有効期限入力欄２１５の入力ボックスに注文有効期限が入力されて注文入力画面内の記入ボタン２１５ａがポインティングデバイス１４によりクリック操作等されて押された場合に、記入ボタン２１５ａの操作より入力された株価チャート上への注文有効期限の記入指示を示す記入指示情報に基づき、注文単価入力欄２１５の注文有効期限を示す垂直線であってキーボード１２又はポインティングデバイス１４の操作によって横方向に移動可能な垂直線をチャート表示欄の株価チャート上に表示させる。そして、キーボード１２又はポインティングデバイス１４の操作によって株価チャート上の垂直線が移動した場合に移動した垂直線が株価チャート上で示す日付を検出し、注文有効期限入力欄２１５の注文有効期限を当該検出した日付に更新する処理を行う。一例として、ポインティングデバイス１４のポインタで垂直線を指定して株価チャートの横方向にドラッグ操作された場合に、当該ポインティングデバイス１４のドラッグ操作に基づいて情報処理部１００は垂直線を横方向に移動させ、移動した垂直線の表示位置に対応する株価チャートの横軸上の日付を検出し、検出した日付を示す情報を第５の記憶手段１１５に上書きして記憶することにより第５の記憶手段１１５の注文有効期限情報を当該検出した日付を示す情報に更新し、第５の記憶手段１１５で更新された注文有効期限を注文有効期限入力欄２１５の入力ボックス内に表示させることで、注文有効期限入力欄２１５の注文有効期限を当該検出した日付に更新して表示させるようにしてもよい。
【００３４】
図６は、チャート表示欄１２０と注文内容表示欄２００を有する注文入力画面の表示例を示す説明図である。図６（Ａ）及び図６（Ｂ）に示す画面例では、チャート表示欄１２０の株価チャート上に注文単価を示す水平線１２２及び注文有効期限を示す垂直線１２４が表示されており、注文内容表示欄２００には注文入力欄２１１〜２１５、確認ボタン２１６、チャート表示ボタン２１１ａ、記入ボタン２１４ａ，２１５ａが表示されており、図６（Ａ）の注文入力画面のチャート表示欄１２０で水平線１２２と垂直線１２４が移動した場合の注文入力画面を図６（Ｂ）に例示している。この注文入力画面において、チャート表示欄１２０と注文内容表示欄２００は同一画面上に表示されており、チャート表示欄１２０の株価チャートの縦軸である垂直軸は株価を示しており、横軸である水平軸は日付を示している。
【００３５】
図６（Ａ），（Ｂ）の注文入力画面の注文内容表示欄２００に関する表示処理は、図５の注文入力画面に関する表示処理と同様であり、コード入力欄２１１には銘柄コード「１０００」が表示されており、情報処理部１００は第１の記憶手段１１１の記憶情報をコード入力欄２１１のテキストボックスに表示させている。売買区分入力欄２１２には「買」のラジオボタンにドットが表示されており、情報処理部１００は第２の記憶手段１１２の記憶情報を売買区分入力欄２１２のラジオボタンにドットで表示させている。注文数量入力欄２１３には注文数量「２０００」株が表示されており、情報処理部１００は第３の記憶手段１１３の記憶情報を注文数量入力欄２１３のテキストボックスに表示させている。
【００３６】
図６（Ａ），（Ｂ）の注文入力画面において、チャート表示欄１２０の株価チャート上には、ポインタ１４ａすなわちポインティングデバイス１４の操作によって縦方向に移動可能な水平線１２２が表示されており、一例としてポインタ１４ａで水平線１２２を指定してポインティングデバイス１４で株価チャートの縦方向にドラッグ操作することで水平線１２２が縦方向に移動可能となっている。情報処理部１００は、チャート表示欄１２０の株価チャート上における水平線１２２の表示位置（例えばディスプレイ１６の表示画面内における垂直軸であるｙ軸上の座標）を監視しており、また水平線１２２の表示位置と株価チャートの縦軸上の株価の対応関係を示す株価対応データ（例えばディスプレイ１６のチャート表示欄１２０内におけるｙ軸上の座標（ｙ座標）を株価に変換するための変換式又はデータテーブル）を有している。そしてポインタ１４ａを用いてポインティングデバイス１４により水平線１２２が株価チャートの縦方向に移動させられた場合に、情報処理部１００は、移動した水平線１２２の表示位置に対応する株価を株価対応データから検出し、注文単価入力欄２１４の注文単価を当該検出した株価に更新する処理を行い、これにより注文単価入力欄２１４の注文単価の修正を行う。一例として、ポインタ１４ａを用いて水平線１２２が縦方向に移動させられた場合に、情報処理部１００は、移動した水平線１２２の位置に対応する株価を株価対応データから検出し、検出した株価を第４の記憶手段１１４に書き込んで記憶し、第４の記憶手段１１４に記憶された株価を注文単価入力欄２１４のテキストボックス内に表示させることにより、注文単価入力欄２１４の注文単価を当該検出した株価に更新する処理を行うようにしてもよい。
【００３７】
図６（Ａ）の注文入力画面では、チャート表示欄１２０の株価チャート上において水平線１２２は「１３００」円を示しており、注文内容表示欄２００の注文単価入力欄２１４の注文単価は「１３００」円となっている。図６（Ａ）の注文入力画面のチャート表示欄１２０上で水平線１２２を縦方向（縦軸方向であって株価の増大方向）に移動させた図６（Ｂ）の注文入力画面では、チャート表示欄１２０の株価チャート上において水平線１２２は「１３５０」円を示しており、注文内容表示欄２００の注文単価入力欄２１４の注文単価は「１３００」円から更新されて「１３５０」円に修正されている。なお、図６（Ａ）の注文内容表示欄２００の売買注文データは図３（Ａ）の注文内容記憶部１１０の売買注文データに対応しており、図６（Ｂ）の注文内容表示欄２００の売買注文データは図３（Ｂ）の注文内容記憶部１１０の売買注文データに対応しており、第４の記憶手段１１４の注文単価は「１３００」円から「１３５０」円に更新されている。
【００３８】
また、図６（Ａ），（Ｂ）の注文入力画面において、チャート表示欄１２０の株価チャート上には、ポインタ１４ａすなわちポインティングデバイス１４の操作によって横方向に移動可能な垂直線１２４が表示されており、一例としてポインタ１４ａで垂直線１２４を指定してポインティングデバイス１４で株価チャートの横方向にドラッグ操作することで垂直線１２４が横方向に移動可能となっている。情報処理部１００は、チャート表示欄１２０の株価チャート上における垂直線１２４の表示位置（例えばディスプレイ１６の表示画面内における水平軸であるｘ軸上の座標）を監視しており、また垂直線１２４の表示位置と株価チャートの横軸上の日付の対応関係を示す日付対応データ（例えばディスプレイ１６のチャート表示欄１２０内におけるｘ軸上の座標（ｘ座標）を日付に変換するための変換式又はデータテーブル）を有している。そしてポインタ１４ａを用いてポインティングデバイス１４により垂直線１２４が株価チャートの横方向に移動させられた場合に、情報処理部１００は、移動した垂直線１２４の表示位置に対応する日付を日付対応データから検出し、注文有効期限入力欄２１５の注文有効期限情報を当該検出した日付を示す情報に更新する処理を行い、これにより注文有効期限入力欄２１５の注文有効期限の修正を行う。一例として、ポインタ１４ａを用いて垂直線１２４が横方向に移動させられた場合に、情報処理部１００は、移動した垂直線１２４の位置に対応する日付を日付対応データから検出し、検出した日付を示す情報を第５の記憶手段１１５に書き込んで記憶し、第５の記憶手段１１５に記憶された日付を注文有効期限入力欄２１５の入力ボックスに表示させることにより、注文有効期限入力欄２１５の注文有効期限を当該検出した日付に更新する処理を行うようにしてもよい。
【００３９】
図６（Ａ）の注文入力画面では、チャート表示欄１２０の株価チャート上において垂直線１２４は当日を示しており、注文内容表示欄２００の注文有効期限入力欄２１５の注文有効期限は「当日限り」となっている。図６（Ａ）の注文入力画面のチャート表示欄１２０上で垂直線１２４を横方向（横軸方向であって将来の日付の方向）に移動させた図６（Ｂ）の注文入力画面では、チャート表示欄１２０の株価チャート上において垂直線１２４は翌日の「○月×日」を示しているものであり、注文内容表示欄２００の注文有効期限入力欄２１５の注文有効期限は「当日限り」から更新されて「○月×日」に修正されている。なお、図６（Ａ）の注文内容表示欄２００の売買注文データは図３（Ａ）の注文内容記憶部１１０の売買注文データに対応しており、図６（Ｂ）の注文内容表示欄２００の売買注文データは図３（Ｂ）の注文内容記憶部１１０の売買注文データに対応しており、第５の記憶手段１１５の注文有効期限情報は「当日限り」から「○月×日」に更新されている。また、情報処理部１００に当日の月日と当日限りを示す情報を対応付けて記憶する当日日付記憶手段を備えておき、株価チャート上において垂直線が当日の日付を示す場合に当日日付記憶手段を参照して当日限りを示す情報として検出するようにしてもよく、第５の記憶手段１１５に記憶された当日限りを示す情報を当日日付記憶手段を参照して当日の月日を示す情報として認識するようにしてもよい。
【００４０】
このように本実施形態では、チャート表示欄１２０と注文内容表示欄２００を有する注文入力画面において、チャート表示欄１２０の株価チャート上の水平線１２２をポインタ１４ａ及びポインティングデバイス１４を用いて縦方向に移動させることにより、注文内容表示欄２００の注文入力欄２１４の注文単価を修正することができる。このため、株価チャートが示す価格変動の傾向を確認しながら注文単価を修正することが可能である。またチャート表示欄１２０の株価チャート上の垂直線１２４をポインタ１４ａ及びポインティングデバイス１４を用いて移動させることにより、注文内容表示欄２００の注文入力欄２１５の注文有効期限を修正することができる。このため、株価チャートが示す価格変動の傾向を確認しながら注文有効期限を修正することが可能である。
【００４１】
図４に戻る。売買注文入力装置１０の操作者は、注文入力画面への売買注文データの入力を終了すると（Ｓ１８）、注文入力画面の確認ボタン２１６をポインティングデバイス１４でクリック操作等して押すことで注文確認画面の表示指示を示す表示指示情報と売買注文データの送信指示情報を入力する。情報処理部１００は、注文確認画面の表示指示情報と売買注文データの送信指示情報に基づき、注文内容記憶部１１０の第１から第５の記憶手段１１１〜１１５に記憶された銘柄コード、売買区分情報、注文数量、注文単価及び注文有効期限情報を読み出し、読み出した銘柄コード、売買区分情報、注文数量、注文単価及び注文有効期限情報を含む売買注文データと注文確認画面データの要求情報と顧客ＩＤを売買注文処理装置２０に送信する（Ｓ２０）。
【００４２】
売買注文処理装置２０は、注文確認画面を表示するための注文確認画面データを注文確認画面用記憶装置に記憶しており、売買注文入力装置１０から売買注文データと注文確認画面データの要求情報と顧客ＩＤを受信すると、注文確認画面データを注文確認画面用記憶装置から読み出すとともに売買注文データの銘柄コードに対応する注文銘柄の株価チャートを表示するための株価チャートデータを株価チャート用記憶装置から読み出して注文銘柄の株価チャートのチャート表示欄と売買注文データの注文内容表示欄を有する注文確認画面を表示するための注文確認画面データを生成し（Ｓ２２）、生成した注文確認画面データを売買注文入力装置１０に送信する（Ｓ２４）。売買注文入力装置１０の情報処理部１００は、売買注文処理装置２０から注文確認画面データを受信して注文確認画面表示用の記憶手段に記憶し、売買注文処理装置２０からの注文確認画面データに基づいて注文確認画面をディスプレイ１６に表示させる（Ｓ２６）。
【００４３】
図７は、図４のフローチャートのＳ２６で売買注文入力装置１０のディスプレイ１６に表示される注文確認画面の一例を示す説明図であり、注文内容表示欄３００とチャート表示欄３２０を有する注文確認画面の表示例を説明するための説明図である。図７に示す画面例では、チャート表示欄３２０の株価チャート上に注文単価を示す水平線３２２及び注文有効期限を示す垂直線３２４が表示されており、注文内容表示欄３００には注文表示欄３１１〜３１３、注文入力欄３１４〜３１５、注文確定ボタン３１６が表示されている。この注文確認画面において、チャート表示欄３２０と注文内容表示欄３００は同一画面上に表示されており、チャート表示欄３２０の株価チャートの縦軸である垂直軸は株価を示しており、横軸である水平軸は日付を示している。
【００４４】
図７の注文確認画面の注文内容表示欄３００は、銘柄コードが表示されるコード表示欄３１１と、売買区分情報が表示される売買区分表示欄３１２と、注文数量が表示される注文数量表示欄３１３と、指値注文の注文単価又は成行注文を示す情報が入力される注文単価入力欄３１４と、注文有効期限情報が入力される注文有効期限入力欄３１５と、注文内容を確認した旨を入力するための注文確定ボタン３１６であって売買注文データを売買注文処理装置２０へ送信させる送信指示を入力するためのボタン３１６を有している。
【００４５】
図７の注文確認画面において、銘柄コードを表示するコード表示欄３１１は注文入力画面のコード入力欄２１１に入力された銘柄コードが表示されており、すなわち注文入力画面の確認ボタン２１６の操作時に第１の記憶手段１１１に記憶されていた銘柄コード「１０００」がコード表示欄３１１に表示されている。売買区分を表示する売買区分表示欄３１２は注文入力画面の売買区分入力欄２１２に入力された売買区分情報が表示されており、すなわち注文入力画面の確認ボタン２１６の操作時に第２の記憶手段１１２に記憶されていた「買」を示す売買区分情報が売買区分表示欄３１２の「買」のラジオボタンのドットにより表示されている。注文数量を表示する注文数量表示欄３１３は注文入力画面の注文数量入力欄２１３に入力された注文数量が表示されており、すなわち注文入力画面の確認ボタン２１６の操作時に第３の記憶手段１１３に記憶されていた注文数量「２０００」株が注文数量表示欄３１３に表示されている。
【００４６】
図７の注文確認画面において、チャート表示欄３２０の株価チャート上には、ポインタ１４ａすなわちポインティングデバイス１４の操作によって縦方向に移動可能な水平線３２２が表示されており、一例としてポインタ１４ａで水平線３２２を指定してポインティングデバイス１４で株価チャートの縦方向にドラッグ操作することで水平線３２２が縦方向に移動可能となっている。情報処理部１００は、チャート表示欄３２０の株価チャート上における水平線３２２の表示位置（例えばディスプレイ１６の表示画面内における垂直軸であるｙ軸上の座標）を監視しており、また水平線３２２の表示位置と株価チャートの縦軸上の株価の対応関係を示す株価対応データ（例えばディスプレイ１６のチャート表示欄３２０内におけるｙ軸上の座標（ｙ座標）を株価に変換するための変換式又はデータテーブル）を有している。そしてポインタ１４ａを用いてポインティングデバイス１４により水平線３２２が株価チャートの縦方向に移動させられた場合に、情報処理部１００は、移動した水平線３２２の表示位置に対応する株価を株価対応データから検出し、注文単価入力欄３１４の注文単価を当該検出した株価に更新する処理を行い、これにより注文単価入力欄３１４の注文単価の修正を行う。一例として、ポインタ１４ａを用いて水平線３２２が縦方向に移動させられた場合に、情報処理部１００は、移動した水平線３２２の位置に対応する株価を株価対応データから検出し、検出した株価を第４の記憶手段１１４に上書きして記憶し、第４の記憶手段１１４に記憶された株価を注文単価入力欄３１４のテキストボックスに表示させることにより、注文単価入力欄３１４の注文単価を当該検出した株価に更新する処理を行うようにしてもよい。
【００４７】
図７の注文確認画面では、チャート表示欄３２０の株価チャート上において水平線３２２は「１３５０」円を示しており、注文内容表示欄３００の注文単価入力欄３１４の注文単価は「１３５０」円となっている。なお、図７の注文単価入力欄３１４では、注文入力画面のコード入力欄２１１の注文単価が初期値として表示されており、すなわち注文入力画面の確認ボタン２１６の操作時に第４の記憶手段１１４に記憶されていた注文単価「１３５０」円が注文単価入力欄３１４に表示されている。
【００４８】
また、図７の注文確認画面において、チャート表示欄３２０の株価チャート上には、ポインタ１４ａすなわちポインティングデバイス１４の操作によって横方向に移動可能な垂直線３２４が表示されており、一例としてポインタ１４ａで垂直線３２４を指定してポインティングデバイス１４で株価チャートの横方向にドラッグ操作することで垂直線３２４が横方向に移動可能となっている。情報処理部１００は、チャート表示欄３２０の株価チャート上における垂直線３２４の表示位置（例えばディスプレイ１６の表示画面内における水平軸であるｘ軸上の座標）を監視しており、また垂直線３２４の表示位置と株価チャートの横軸上の日付の対応関係を示す日付対応データ（例えばディスプレイ１６のチャート表示欄３２０内におけるｘ軸上の座標（ｘ座標）を日付に変換するための変換式又はデータテーブル）を有している。そしてポインタ１４ａを用いてポインティングデバイス１４により垂直線３２４が株価チャートの横方向に移動させられた場合に、情報処理部１００は、移動した垂直線３２４の表示位置に対応する日付を日付対応データから検出し、注文有効期限入力欄３１５の注文有効期限を当該検出した日付に更新する処理を行い、これにより注文有効期限入力欄３１５の注文有効期限の修正を行う。一例として、ポインタ１４ａを用いて垂直線３２４が横方向に移動させられた場合に、情報処理部１００は、移動した垂直線３２４の位置に対応する日付を日付対応データから検出し、検出した日付を示す情報を第５の記憶手段１１５に上書きして記憶し、第５の記憶手段１１５に記憶された日付を注文有効期限入力欄３１５の入力ボックスに表示させることにより、注文有効期限入力欄３１５の注文有効期限を当該検出した日付に更新する処理を行うようにしてもよい。
【００４９】
図７の注文確認画面では、チャート表示欄３２０の株価チャート上において垂直線３２４は○月×日を示しており、注文内容表示欄３００の注文有効期限入力欄３１５の注文有効期限は「○月×日」となっている。なお、図７の注文有効期限入力欄３１５では、注文入力画面の注文有効期限入力欄２１１の注文有効期限が初期値として表示されており、すなわち注文入力画面の確認ボタン２１６の操作時に第５の記憶手段１１５に記憶されていた「○月×日」の注文有効期限情報が注文有効期限入力欄３１５に表示されている。
【００５０】
このように本実施形態では、チャート表示欄３２０及び注文内容表示欄３００を有する注文確認画面において、チャート表示欄３２０の株価チャート上の水平線３２２をポインタ１４ａ及びポインティングデバイス１４を用いて縦方向に移動させることにより、注文内容表示欄３００の注文入力欄３１４の注文単価を修正することができる。このため、株価チャートが示す価格変動の傾向を確認しながら注文単価を修正することが可能である。また、チャート表示欄３２０の株価チャート上の垂直線３２４をポインタ１４ａ及びポインティングデバイス１４を用いて移動させることにより、注文内容表示欄３００の注文入力欄３１５の注文有効期限を修正することができる。このため、株価チャートが示す価格変動の傾向を確認しながら注文有効期限を修正することが可能である。
【００５１】
図４に戻る。売買注文入力装置１０の操作者は、注文確認画面に表示された売買注文データを修正する場合はチャート表示欄３２０の株価チャート上の水平線３２２及び／又は垂直線３２４をポインティングデバイス１４により移動させて修正を行った後に注文確定ボタン３１６をクリック操作等して押下し（Ｓ２８）、注文確認画面に表示された売買注文データを修正しない場合は注文確定ボタン３１６をクリック操作等して押下する（    Ｓ２８）。情報処理部１００は、注文内容表示欄３００の注文確定ボタン３１６がポインティングデバイス１４から操作されることにより注文確認画面の売買注文データの送信指示情報が入力された場合に、当該送信指示情報に基づき、注文内容記憶部１１０の第１から第５の記憶手段１１１〜１１５に記憶された銘柄コード、売買区分情報、注文数量、注文単価及び注文有効期限情報を読み出し、読み出した銘柄コード、売買区分情報、注文数量、注文単価及び注文有効期限情報を含む売買注文データと発注処理要求情報と顧客ＩＤを売買注文処理装置２０に送信する（Ｓ３０）。
【００５２】
売買注文処理装置２０は、売買注文入力装置１０から注文確定データとしての売買注文データと発注処理要求情報と顧客ＩＤを受信すると、売買注文を識別するための注文識別番号を採番し、当該注文識別番号と売買注文データと顧客ＩＤと未発注を示す注文状況フラグを対応付けて売買注文処理装置２０の注文データベースに格納する。そして、売買注文データと注文識別番号を含む注文電文（注文入力電文）を売買システム３０に送信することにより売買注文の発注処理を行い（Ｓ３２）、当該注文識別番号に対応付けされた注文状況フラグを未発注から発注済を示すフラグに更新する。売買注文処理装置２０は、売買システム３０から注文識別番号を含む約定成立通知を受け取ると、約定成立通知に含まれる注文識別番号に対応付けされた注文状況フラグを発注済から約定済を示すフラグに更新する。
【００５３】
図８は、発注済の有価証券の売買注文を訂正する際に、売買注文入力装置１０及び売買注文処理装置２０が行う処理動作の一例を説明するためのフローチャートである。
まず売買注文入力装置１０は、操作者がキーボード１２又はポインティングデバイス１４を介して入力した注文訂正画面の表示指示情報に従って、注文訂正画面データを要求する要求情報と当該操作者を識別する顧客ＩＤを売買注文処理装置２０に送信する（Ｓ４２）。
売買注文処理装置２０は、注文訂正画面を表示するための注文訂正画面データを注文訂正画面用記憶装置に記憶しており、売買注文入力装置１０から注文訂正画面データの要求情報と顧客ＩＤを受信すると、注文訂正画面データを注文訂正画面用記憶装置から読み出すとともに注文データベースから当該顧客ＩＤ及び発注済の注文状況フラグに対応付けされた売買注文データを読み出し、読み出した売買注文データの銘柄コードに対応する注文銘柄の株価チャートを表示するための株価チャートデータを株価チャート用記憶装置から読み出し、当該注文銘柄の株価チャートのチャート表示欄と当該売買注文データの注文内容表示欄を有する注文訂正画面を表示するための注文訂正画面データを生成し、生成した注文訂正画面データと売買注文データを売買注文入力装置１０に送信する（Ｓ４４）。売買注文入力装置１０の情報処理部１００は、売買注文処理装置２０から注文訂正画面データと売買注文データを受信して注文訂正画面データを注文訂正画面表示用の記憶手段に記憶するとともに売買注文データを注文内容記憶部１１０に記憶し、売買注文処理装置２０からの注文訂正画面データに基づいて注文訂正画面をディスプレイ１６に表示させる（Ｓ４６）。なお、Ｓ４６において表示される注文訂正画面は、図７に示した注文確認画面と同様の画面を用いてもよく、以下では図７の注文確認画面を注文訂正画面として用いた場合の注文訂正画面について説明する。
【００５４】
図７は、図８のフローチャートのＳ６６で売買注文入力装置１０のディスプレイ１６に表示される注文訂正画面の一例を示す説明図であり、注文内容表示欄３００とチャート表示欄３２０を有する注文訂正画面の表示例を説明するための説明図である。図７に示す画面例では、チャート表示欄３２０の株価チャート上に注文単価を示す水平線３２２及び注文有効期限を示す垂直線３２４が表示されており、注文内容表示欄３００には注文表示欄３１１〜３１３、注文入力欄３１４〜３１５、注文確定ボタン３１６が表示されている。この注文訂正画面において、チャート表示欄３２０と注文内容表示欄３００は同一画面上に表示されており、チャート表示欄３２０の株価チャートの縦軸である垂直軸は株価を示しており、横軸である水平軸は日付を示している。
【００５５】
図７の注文訂正画面の注文内容表示欄３００は、銘柄コードが表示されるコード表示欄３１１と、売買区分情報が表示される売買区分表示欄３１２と、注文数量が表示される注文数量表示欄３１３と、指値注文の注文単価又は成行注文を示す情報が入力される注文単価入力欄３１４と、注文有効期限情報が入力される注文有効期限入力欄３１５と、注文内容を確認した旨を入力するための注文確定ボタン３１６であって売買注文データを売買注文処理装置２０へ送信させる送信指示を入力するためのボタン３１６を有している。
【００５６】
図７の注文訂正画面において、銘柄コードを表示するコード表示欄３１１は操作者が注文主である発注済の売買注文データの銘柄コードが表示されており、すなわち注文データベースで操作者を識別する顧客ＩＤと発注済の注文状況フラグに対応付けされた売買注文データの銘柄コード「１０００」がコード表示欄３１１に表示されている。売買区分を表示する売買区分表示欄３１２は操作者が注文主である発注済の売買注文データの売買区分情報が表示されており、すなわち注文データベースで操作者を識別する顧客ＩＤと発注済の注文状況フラグに対応付けされた売買注文データの「買」を示す売買区分情報が売買区分表示欄３１２の「買」のラジオボタンのドットにより表示されている。注文数量を表示する注文数量表示欄３１３は操作者が注文主である発注済の売買注文データの注文数量が表示されており、すなわち注文データベースで操作者を識別する顧客ＩＤと発注済の注文状況フラグに対応付けされた売買注文データの注文数量「２０００」株が注文数量表示欄３１３に表示されている。
【００５７】
図７の注文訂正画面において、チャート表示欄３２０の株価チャート上には、ポインタ１４ａすなわちポインティングデバイス１４の操作によって縦方向に移動可能な水平線３２２が表示されており、一例としてポインタ１４ａで水平線３２２を指定してポインティングデバイス１４で株価チャートの縦方向にドラッグ操作することで水平線３２２が縦方向に移動可能となっている。情報処理部１００は、チャート表示欄３２０の株価チャート上における水平線３２２の表示位置（例えばディスプレイ１６の表示画面内における垂直軸であるｙ軸上の座標）を監視しており、また水平線３２２の表示位置と株価チャートの縦軸上の株価の対応関係を示す株価対応データ（例えばディスプレイ１６のチャート表示欄３２０内におけるｙ軸上の座標（ｙ座標）を株価に変換するための変換式又はデータテーブル）を有している。そしてポインタ１４ａを用いてポインティングデバイス１４により水平線３２２が株価チャートの縦方向に移動させられた場合に、情報処理部１００は、移動した水平線３２２の表示位置に対応する株価を株価対応データから検出し、注文単価入力欄３１４の注文単価を当該検出した株価に更新する処理を行い、これにより注文単価入力欄３１４の注文単価の修正を行う。一例として、ポインタ１４ａを用いて水平線３２２が縦方向に移動させられた場合に、情報処理部１００は、移動した水平線３２２の位置に対応する株価を株価対応データから検出し、検出した株価を第４の記憶手段１１４に上書きして記憶し、第４の記憶手段１１４に記憶された株価を注文単価入力欄３１４のテキストボックスに表示させることにより、注文単価入力欄３１４の注文単価を当該検出した株価に更新する処理を行うようにしてもよい。
【００５８】
図７の注文訂正画面では、チャート表示欄３２０の株価チャート上において水平線３２２は「１３５０」円を示しており、注文内容表示欄３００の注文単価入力欄３１４の注文単価は「１３５０」円となっている。なお、図７の注文単価入力欄３１４では、操作者が注文主である発注済の売買注文データの注文単価が初期値として表示されており、すなわち注文データベースで操作者を識別する顧客ＩＤと発注済の注文状況フラグに対応付けされた売買注文データの注文単価「１３５０」が注文単価入力欄３１４に表示されている。
【００５９】
また、図７の注文訂正画面において、チャート表示欄３２０の株価チャート上には、ポインタ１４ａすなわちポインティングデバイス１４の操作によって横方向に移動可能な垂直線３２４が表示されており、一例としてポインタ１４ａで垂直線３２４を指定してポインティングデバイス１４で株価チャートの横方向にドラッグ操作することで垂直線３２４が横方向に移動可能となっている。情報処理部１００は、チャート表示欄３２０の株価チャート上における垂直線３２４の表示位置（例えばディスプレイ１６の表示画面内における水平軸であるｘ軸上の座標）を監視しており、また垂直線３２４の表示位置と株価チャートの横軸上の日付の対応関係を示す日付対応データ（例えばディスプレイ１６のチャート表示欄３２０内におけるｘ軸上の座標（ｘ座標）を日付に変換するための変換式又はデータテーブル）を有している。そしてポインタ１４ａを用いてポインティングデバイス１４により垂直線３２４が株価チャートの横方向に移動させられた場合に、情報処理部１００は、移動した垂直線３２４の表示位置に対応する日付を日付対応データから検出し、注文有効期限入力欄３１５の注文有効期限を当該検出した日付に更新する処理を行い、これにより注文有効期限入力欄３１５の注文有効期限の修正を行う。一例として、ポインタ１４ａを用いて垂直線３２４が横方向に移動させられた場合に、情報処理部１００は、移動した垂直線３２４の位置に対応する日付を日付対応データから検出し、検出した日付を示す情報を第５の記憶手段１１５に上書きして記憶し、第５の記憶手段１１５に記憶された日付を注文有効期限入力欄３１５の入力ボックスに表示させることにより、注文有効期限入力欄３１５の注文有効期限を当該検出した日付に更新する処理を行うようにしてもよい。
【００６０】
図７の注文確認画面では、チャート表示欄３２０の株価チャート上において垂直線３２４は○月×日を示しており、注文内容表示欄３００の注文有効期限入力欄３１５の注文有効期限は「○月×日」となっている。なお、図７の注文有効期限入力欄３１５では、操作者が注文主である発注済の売買注文データの注文有効期限が初期値として表示されており、すなわち注文データベースで操作者を識別する顧客ＩＤと発注済の注文状況フラグに対応付けされた売買注文データの注文有効期限「○月×日」が注文有効期限入力欄３１４に表示されている。
【００６１】
このように本実施形態では、チャート表示欄３２０及び注文内容表示欄３００を有する注文訂正画面において、チャート表示欄３２０の株価チャート上の水平線３２２をポインタ１４ａ及びポインティングデバイス１４を用いて縦方向に移動させることにより、注文内容表示欄３００の注文入力欄３１４の注文単価を訂正することができる。このため、株価チャートが示す価格変動の傾向を確認しながら注文単価を修正することが可能である。またチャート表示欄３２０の株価チャート上の垂直線３２４をポインタ１４ａ及びポインティングデバイス１４を用いて移動させることにより、注文内容表示欄３００の注文入力欄３１５の注文有効期限を訂正することができる。このため、株価チャートが示す価格変動の傾向を確認しながら注文有効期限を修正することが可能である。
【００６２】
図８に戻る。売買注文入力装置１０の操作者は、注文訂正画面に表示された売買注文データを修正する場合はチャート表示欄３２０の株価チャート上の水平線３２２及び／又は垂直線３２４をポインティングデバイス１４により移動させて修正を行った後に注文確定ボタン３１６をクリック操作等して押下し（Ｓ４８）、注文訂正画面に表示された売買注文データを修正しない場合は注文確定ボタン３１６をクリック操作等して押下する（    Ｓ４８）。情報処理部１００は、注文内容表示欄３００の注文確定ボタン３１６がポインティングデバイス１４から操作されることにより注文訂正画面の売買注文データの送信指示情報が入力された場合に、当該送信指示情報に基づき、注文内容記憶部１１０の第１から第５の記憶手段１１１〜１１５に記憶された銘柄コード、売買区分情報、注文数量、注文単価及び注文有効期限情報を読み出し、読み出した銘柄コード、売買区分情報、注文数量、注文単価及び注文有効期限情報を含む売買注文データと訂正発注処理要求情報と顧客ＩＤを売買注文処理装置２０に送信する（Ｓ５０）。
【００６３】
売買注文処理装置２０は、売買注文入力装置１０から訂正注文確定データとしての訂正注文の内容を示す売買注文データと訂正発注処理要求情報と顧客ＩＤを受信すると、受信した売買注文データを売買システム３０に送信することにより訂正発注処理を行い、一例として操作者の顧客ＩＤ及び発注済の注文状況フラグに対応付けされた訂正対象の売買注文の注文識別番号を読み出して一時保持し、訂正後の売買注文（訂正注文）を識別するための注文識別番号を採番し、当該訂正注文の注文識別番号と売買注文データと顧客ＩＤと未発注を示す注文状況フラグを対応付けて売買注文処理装置２０の注文データベースに格納し、訂正対象の売買注文を取り消すための注文電文（注文取消電文）であって一時保持した訂正対象の売買注文の注文識別番号を含む注文電文を売買システム３０に送信して訂正対象の売買注文を取り消すための処理を行って訂正対象の売買注文の注文識別番号に対応付けされた注文状況フラグを発注済から取消を示すフラグに更新し、さらに訂正注文の売買注文データと訂正注文の注文識別番号を含む注文電文（注文入力電文）を売買システム３０に送信することにより売買注文の訂正発注処理を行い（Ｓ３２）、当該訂正注文の注文識別番号に対応付けされた注文状況フラグを未発注から発注済を示すフラグに更新するようにしてもよい。
【００６４】
なお、本発明は上述した実施形態に限定されるものではなく、本発明の主旨を逸脱しない範囲内で種々変更して実施することが可能である。株価チャートとして一目均衡表のチャートを用いてもよく、情報処理部１００は、チャート表示欄及び注文内容表示欄を有する注文入力画面、注文確認画面及び注文訂正画面において、チャート表示欄の一目均衡表のチャート上の垂直線を移動させるポインティングデバイス１４の操作入力に基づいて垂直線を横方向に移動させ、移動した垂直線の表示位置に対応する一目均衡表のチャートの横軸上における日付を検出し、検出した日付が当日以降の日付である場合に第５の記憶手段１１５の注文有効期限情報を当該検出した日付を示す情報に更新する処理を行うようにしてもよく、検出した日付が当日以降であるか否かを当日日付記憶手段に記憶された当日日付（例えば当日の月日）と比較して判定するようにしてもよい。株価チャートは例えば週足チャート又は日足チャートを選択可能な構成としてもよく、一例として日足チャートを自動的に用いるようにしてもよい。また、コンピュータを情報処理部１００及び注文内容記憶部１１０として機能させるためのプログラムを端末装置又は端末装置のコンピュータ本体にインストールすることにより、端末装置を売買注文入力装置１０として機能させるようにしてもよい。
【図面の簡単な説明】
【００６５】
【図１】本発明の一実施形態に係る売買注文入力装置１０の使用環境を説明するための概略図である。
【図２】売買注文入力装置１０の構成の一例を説明するためのブロック図である。
【図３】注文内容記憶部１１０に記憶された売買注文データの一例をテーブル形式で示す説明図であり、図３（Ａ）は注文単価と注文有効期限の修正前の売買注文データを例示する説明図であり、図３（Ｂ）は注文単価と注文有効期限の修正後の売買注文データを例示する説明図である。
【図４】有価証券の売買注文を発注する際に、売買注文入力装置１０及び売買注文処理装置２０が行う処理動作の一例を説明するためのフローチャートである。
【図５】図４のフローチャートのＳ６でディスプレイ１６に表示される注文入力画面の一例を示す説明図である。
【図６】チャート表示欄１２０と注文内容表示欄２００を有する注文入力画面の一例を示す説明図であり、図６（Ａ）は注文単価と注文有効期限の修正前の注文入力画面を例示する説明図であり、図６（Ｂ）は注文単価と注文有効期限の修正後の注文入力画面を例示する説明図である。
【図７】図４のフローチャートのＳ２６でディスプレイ１６に表示される注文確認画面の一例を示す説明図である。
【図８】発注済の有価証券の売買注文を訂正する際に、売買注文入力装置１０及び売買注文処理装置２０が行う処理動作の一例を説明するためのフローチャートである。
【符号の説明】
【００６６】
１０・・・売買注文入力装置、１２・・・キーボード、１４・・・ポインティングデバイス、１４ａ・・・ポインタ、１６・・・ディスプレイ、１８・・・処理部、２０・・・売買注文処理装置、３０・・・売買システム、１００・・・情報処理部、１１０・・・注文内容記憶部、１１１・・・第１の記憶手段（銘柄コード記憶手段）、１１２・・・第２の記憶手段（売買区分記憶手段）、１１３・・・第３の記憶手段（注文数量記憶手段）、１１４・・・第４の記憶手段（注文単価記憶手段）、１１５・・・第５の記憶手段（注文有効期限記憶手段）、１２０，３２０・・・チャート表示欄、１２２，３２２…水平線、１２４，３２４…垂直線、２００，３００・・・注文内容表示欄
【図１】
2009043053.tif 000003
【図２】
2009043053.tif 000004
【図３】
2009043053.tif 000005
【図４】
2009043053.tif 000006
【図５】
2009043053.tif 000007
【図６】
2009043053.tif 000008
【図７】
2009043053.tif 000009
【図８】
2009043053.tif 000010